(57)【要約】【課題】タンデム接続での複数回のコーデック変換を避けるためにＴＦＯ(Tandem Free Operation)といった手法がある。しかしながら、このＴＦＯを利用した呼に対して、任意の中継ノードにおける音声モニタシステムは設けられていない。【解決手段】通信網において、中継ノード（ＭＧＷ４）の前段にＴＦＯ分解装置５を設けることによって音声データを監視する機能を有する。かかる機能はＢＳＳ３に到達するＰＣＭデータよりＴＦＯ信号へと変換されたものから、圧縮音声データ（Ａ）の部分のみをＴＦＯ分解装置５で取り出し、音声モニタ装置６へと転送する機能のことを言う。この機能により、音声モニタを行う場合であっても中継ノードは複製処理のみを行えばよいので、任意のＴＦＯの中継ノードで音声モニタを実現することができる。【選択図】図１
2007267269.tif 000002
【特許請求の範囲】
【請求項１】
ＰＣＭデータに圧縮音声データを書き込むことにより生成したＴＦＯ信号の転送を中継する中継ノードと、
前記圧縮音声データから音声傍受を行う音声モニタ装置を有し、
ＴＦＯを利用する伝送システムにおける音声モニタシステムにおいて、
前記音声モニタ装置の前段に設け、任意の中継ノードにて複製されたＴＦＯ信号を分解し、前記圧縮音声データを抽出するＴＦＯ分解装置を有し、
前記ＴＦＯ分解装置により抽出された圧縮音声データを前記音声モニタ装置に転送することを特徴とする音声モニタシステム。
【請求項２】
前記ＴＦＯ分解装置は、前記ＰＣＭデータに含まれるＴＦＯフレームを監視し、当該ＴＦＯフレームの制御ビットより前記圧縮音声データの種別を判別することを特徴とする請求項１に記載の音声モニタシステム。
【請求項３】
前記ＴＦＯ分解装置は、前記ＴＦＯフレームが確認できない場合には前記ＰＣＭデータに含まれるＴＦＯメッセージを監視し、当該ＴＦＯメッセージより前記ＴＦＯフレームの種別を判別することを特徴とする請求項２に記載の音声モニタシステム。
【請求項４】
前記圧縮音声データがワイドバンドの圧縮音声データである場合、前記ＴＦＯ分解装置は、ダウンサンプリングすることなく当該圧縮音声データを前記音声モニタ装置に転送することを特徴とする請求項１から３の何れかに記載の音声モニタシステム。
【請求項５】
ＰＣＭデータに圧縮音声データを書き込むことにより生成したＴＦＯ信号を監視する制御手段と、
前記制御手段の指示により前記ＴＦＯ信号を分解し、前記圧縮音声データを抽出するＴＦＯ分解手段と、
前記ＴＦＯ分解手段により分解されたＴＦＯ信号を所定の形式に従って組み立てる組立て手段を有し、
抽出した圧縮音声データを、当該圧縮音声データから音声傍受を行う音声モニタ装置に転送することを特徴とするＴＦＯ分解装置。
【請求項６】
ＴＦＯを利用する伝送システムにおける音声モニタリング法において、
ＰＣＭデータに圧縮音声データを書き込むことにより生成したＴＦＯ信号の転送を中継する工程と、
前記ＴＦＯ信号を分解し、前記圧縮音声データを抽出する工程と、
抽出された圧縮音声データから音声傍受を行う工程を有することを特徴とする音声モニタリング法。
【請求項７】
コンピュータに、
ＰＣＭデータに圧縮音声データを書き込むことにより生成したＴＦＯ信号を監視する制御手段と、
前記制御手段の指示により前記ＴＦＯ信号を分解し、前記圧縮音声データを抽出するＴＦＯ分解手段と、
前記ＴＦＯ分解手段により分解されたＴＦＯ信号を所定の形式に従って組み立てる組立て手段として機能させ、
抽出した圧縮音声データを、当該圧縮音声データから音声傍受を行う音声モニタ装置に転送するように実行させることを特徴とするＴＦＯ分解装置のプログラム。
【請求項８】
請求項７のプログラムを記録した記録媒体。
【発明の詳細な説明】
【技術分野】
【０００１】
本発明は、ＰＬＭＮ(Public Land Mobile Network)間にＴＤＭ(Time Division Multiplexing)回線が存在し、タンデム接続で複数回のコーデック変換による音質劣化を防ぐためにＴＦＯ(Tandem Free Operation)を利用する伝送システムにおける音声モニタシステムに属するものである。なお、ＰＬＭＮとは一般電話回線網等の固定網に対し、陸上移動通信サービスの提供を目的とした、無線回線を含む移動通信専用ネットワークである。
【背景技術】
【０００２】
通信事業者網の間に固定網（ＴＤＭインタフェース）が存在する伝送システムにおいてタンデムオペレーションを回避するため、ＴＦＯという手段が３ＧＰＰ(3rd Generation Partnership Project)の勧告（TS.28.062）で標準化されている。ＴＦＯは移動通信網と固定網との相互接続の際に発生する多段のコーデック変換を避けるために利用されるプロトコルである。固定網のユーザプレーン上を流れるＴＤＭ(Time Division Mutiplex)信号に圧縮音声データと圧縮音声データを送受信するために必要なインバンド処理メッセージを上書きし、通信を行う。しかしながら、任意の中継ノードにてＴＦＯを利用する伝送システムでの音声のモニタリングを行う手段は存在しない。このような手段が存在しないことによる問題点を以下に説明する。
【０００３】
第１の問題点を、図５を参照して述べる。図５は、従来の音声モニタシステムの構成を図示したものである。２つのネットワークＰＬＭＮ１、２が固定網を介して接続しており、ＰＬＭＮ１は端末１、ＢＳＳ(Base Station System)３、ＭＧＷ(Media Gateway)４、圧縮音声データから音声傍受を行う音声モニタ装置６を有して構成されており、対向網であるＰＬＭＮ２は端末２、ＭＧＷ７、ＲＮＳ(Radio Network System)８を有して構成されている。また、ＰＬＭＮ１には、端末１及び端末２が通話をするために張られるＴＦＯのパス１（実線）と、ＭＧＷ４その他の中継ノードで音声モニタを行うためにＴＦＯ信号をミラーリングして音声モニタ装置６へと送出するパス２（点線）が張られている。ＢＳＳ３はコーデック変換装置３１を有し、コーデック変換装置３１にて圧縮音声データ（Ａ）をＴＦＯ信号に変換する。ＭＧＷ４はスイッチ４１を有し、スイッチ４１にてＴＦＯ信号の転送先を決定する。
【０００４】
図５にあるように、通常、音声モニタを行う場合には通話路を流れる音声データの複製をモニタの対象となる中継点で行い、音声モニタ装置６へ転送する。しかし、ＴＦＯを利用する伝送システムでは通常のモニタリング手段は利用できない。なぜなら、ＴＦＯでは３ＧＰＰの勧告にあるようにＴＤＭのセルが上書きされるからである（後述する図２に関する説明を参照）。そのとき、ＢＳＳ３において、ＴＦＯ信号として、ＬＳＢ(Least Significant Bit)に圧縮音声データ（Ａ）とＴＦＯ制御データを規則的に書き込む（例えば、データ信号と制御信号転送速度が合計１６KbpsならばＰＣＭサンプルの最終２ビットの上に書き込む）。ＴＦＯ信号とＴＦＯ制御データは２０ｍｓ周期で区切られ、一区切りを「ＴＦＯフレーム」と呼ぶ。通常の通話に使用されるＰＣＭデータの一部のみ上書きをするので、ＴＦＯ非対応の音声モニタ装置でもＰＣＭデータに雑音が乗った状態で確認することが可能である。しかし、対向のユーザに届く信号と音声モニタ装置６を経由したＴＦＯ信号（つまり、ＬＳＢの欠落したＰＣＭデータとＬＳＢに書き込まれたＴＦＯフレームのデータが合わさったもの）との間に差分があり音声品質の確認には適さない。また、圧縮音声データのビットレートにより、上書きされるＬＳＢが増えてしまった場合にはＰＣＭデータの音質が劣化してゆき、再生能力が損なわれ通信傍受にも適さなくなる。
【０００５】
第２の問題点を以下に述べる。特許文献１はＡＡＬ１(ATM Adaptation Layer type１)にＴＦＯを適応した場合の音声信号傍受方式に関する内容である。簡単な手順として、ＡＴＭ交換機に入力されたＡＡＬ１（ＴＦＯ）からコーデックＡのデータを抽出しＡＡＬ２へと変換する。次に、そのＡＡＬ２のデータを再度、今度はＰＣＭデータのみで構成されるＡＡＬ１のデータに再変換し、音声モニタ装置へと送付する。この従来技術を用いた音声モニタシステムは図６に図示したものになる。図５と異なる点は、ＭＧＷ４がコーデック変換装置４２を有している点である。コーデック変換装置４２によりＴＦＯ信号から圧縮音声データ（Ａ）を抽出し、音声モニタ装置６へ転送する。
【０００６】
特許文献１の交換機の入力信号を既にＴＦＯの適用された信号とし、特許文献１内で示されるように元の圧縮音声データ（Ａ）をＰＣＭデータに再変換する前に適切なインタフェースに乗せて音声モニタ装置６へ送出すれば音声モニタが可能である。しかし、３ＧＰＰの勧告によるとＴＦＯを利用するシステムの中継ノード（例えば、図６のＭＧＷ４）はＴＦＯの信号を中継する機能が義務付けられているが、元の圧縮音声データ（Ａ）を抽出し、外部に送出する機能は義務付けられていない。従って、中継点によっては図６の機能を有していない中継ノード（コーデック変換装置４２に類似する装置を有していないその他の中継装置）が許容されてしまい、任意の中継ノードでの音声モニタができない。また、中継網の伝送路種別は、発着端末が属する網のベアラ種別に非依存であるため、ＡＴＭインタフェースのみに限定された方式では適さない。当該ＡＴＭインタフェース以外のインタフェースを用いて音声モニタ装置６に送出しようとしても第１の問題点で述べた差分が発生してしまい、送出することができない。この差分を緩和する手法が望まれる。
【０００７】
第３の問題点は、一般的な通信傍受において、音声モニタ装置へＰＣＭデータを送信することである。ワイドバンドの圧縮音声データを転送するシステムにおいて通信傍受を行うと、周波数帯域を一部切り落とすためにダウンサンプリングする必要がある。このダウンサンプリングした周波数帯は復元することができない。この影響により、ＰＣＭデータは元の音声の再生能力を損なっている。
【０００８】
ＴＦＯでワイドバンドの圧縮音声データを扱った技術は、例えば、特許文献２に開示されている。しかし、ワイドバンドのコーデックはＬＳＢの４ビットを上書きする場合があるため、ＴＦＯフレームを作り出すため同期をし、ＬＳＢが何ビット利用されているかを知る手段が必要であるところ、特許文献２にはその手段について開示されておらず、特許文献２においては特にその必要も無いものと考えられるので、かかる技術内容を用いても、ＰＣＭデータは元の音声の再生能力を損なっているものと思料する。
【０００９】
第４の問題点は、中継ノードがＴＦＯフレームを生成している装置とＴＦＯのメッセージのやりとりをできないことである。中継ノードはユーザに気付かれることなく音声モニタを実施しなくてはならない。中継ノードがＴＦＯフレームを抽出する機能を持っていて、さらに、そのＴＦＯフレームより元の圧縮音声データ（Ａ）の取り出し手段が既知ならば分解は可能だが、任意のタイミングより音声モニタを行う場合には分解方法が既知でない場合がある。このとき、ＴＦＯフレームの分解はできず、音声モニタを実施することができない。
【００１０】
ＴＦＯフレームを分解する技術内容は、例えば、特許文献３に開示されている。しかし、ＴＦＯには、８＋８Kbps、１６Kbps、３２Kbps等といった数種類のモードが存在し、特許文献３のように下位２ビットを抽出するだけでは必要な信号を取り出せているか否か判断できないので、特許文献３の技術ではＴＦＯフレームを分解することはできない。また、ＴＦＯは呼を接続した瞬間から有効になるわけではなく、まず、ＬＳＢ１ビットを１６ＰＣＭサンプルごとに書き換え、上記メッセージのやり取りが行われる。そのため、音声モニタを行うにあたり、このメッセージを監視することは重要である。しかし、上述した何れの文献もこの点についての記載は見当たらない。
【特許文献１】特開２００１−３３３０７０号公報
【特許文献２】特表２００６−５０２４２７号公報
【特許文献３】特開２００２−３７４５５９号公報
【発明の開示】
【発明が解決しようとする課題】
【００１１】
上記事情を鑑みて、本発明は、任意のＴＦＯの中継ノードで音声モニタを実現する音声モニタシステム等を提供することを目的とする。また、傍受音声の利用価値を損なわないように、元の圧縮音声データを音声モニタ装置へ転送することを可能にすることを目的とする。さらに、中継ノードにおける音声変換に係る処理を軽減することを目的とする。
【課題を解決するための手段】
【００１２】
上記目的を達成する本発明の態様は、ＰＣＭデータに圧縮音声データを書き込むことにより生成したＴＦＯ信号の転送を中継する中継ノードと、前記圧縮音声データから音声傍受を行う音声モニタ装置を有し、ＴＦＯを利用する伝送システムにおける音声モニタシステムにおいて、前記音声モニタ装置の前段に設け、任意の中継ノードにて複製されたＴＦＯ信号を分解し、前記圧縮音声データを抽出するＴＦＯ分解装置を有し、前記ＴＦＯ分解装置により抽出された圧縮音声データを前記音声モニタ装置に転送することを特徴とする音声モニタシステムに関するものである。
【００１３】
ここで、前記ＴＦＯ分解装置は、前記ＰＣＭデータに含まれるＴＦＯフレームを監視し、当該ＴＦＯフレームの制御ビットより前記圧縮音声データの種別を判別することを特徴とする。ただ、前記ＴＦＯ分解装置は、前記ＴＦＯフレームが確認できない場合には前記ＰＣＭデータに含まれるＴＦＯメッセージを監視し、当該ＴＦＯメッセージより前記ＴＦＯフレームの種別を判別することを特徴とする。
【００１４】
そして、前記圧縮音声データがワイドバンドの圧縮音声データである場合、前記ＴＦＯ分解装置は、ダウンサンプリングすることなく当該圧縮音声データを前記音声モニタ装置に転送することを特徴とする。
【００１５】
本発明の他の態様は、ＰＣＭデータに圧縮音声データを書き込むことにより生成したＴＦＯ信号を監視する制御手段と、前記制御手段の指示により前記ＴＦＯ信号を分解し、前記圧縮音声データを抽出するＴＦＯ分解手段と、前記ＴＦＯ分解手段により分解されたＴＦＯ信号を所定の形式に従って組み立てる組立て手段を有し、抽出した圧縮音声データを、当該圧縮音声データから音声傍受を行う音声モニタ装置に転送することを特徴とするＴＦＯ分解装置に関するものである。
【００１６】
また、本発明の他の態様は、ＴＦＯを利用する伝送システムにおける音声モニタリング法において、ＰＣＭデータに圧縮音声データを書き込むことにより生成したＴＦＯ信号の転送を中継する工程と、前記ＴＦＯ信号を分解し、前記圧縮音声データを抽出する工程と、抽出された圧縮音声データから音声傍受を行う工程を有することを特徴とする音声モニタリング法に関するものである。
【００１７】
また、本発明の他の態様は、コンピュータに、ＰＣＭデータに圧縮音声データを書き込むことにより生成したＴＦＯ信号を監視する制御手段と、前記制御手段の指示により前記ＴＦＯ信号を分解し、前記圧縮音声データを抽出するＴＦＯ分解手段と、前記ＴＦＯ分解手段により分解されたＴＦＯ信号を所定の形式に従って組み立てる組立て手段として機能させ、抽出した圧縮音声データを、当該圧縮音声データから音声傍受を行う音声モニタ装置に転送するように実行させることを特徴とするＴＦＯ分解装置のプログラムに関するものである。
【００１８】
また、本発明の他の態様は、上記プログラムを記録した記録媒体に関するものである。
【発明の効果】
【００１９】
本発明の音声モニタシステムは、ＴＦＯ分解装置を音声モニタ装置の前段に設けることで、音声モニタを行う場合であっても中継ノードは複製処理のみを行えばよいので、任意のＴＦＯの中継ノードで音声モニタを実現することができる。また、ＴＦＯ分解装置を中継ノードの外部に設けることにより、対向のユーザに届く信号と音声モニタ装置を経由したＴＦＯ信号との間の差分を緩和し、傍受音声の利用価値を損うことも無い。また、中継ノードにコーデック変換装置を設ける必要も無いので、中継ノードにおける音声変換に係る処理を軽減できる。ワイドバンドの圧縮音声データにあっては、中継ノードで処理されるＴＦＯ信号がダウンサンプリングされる心配がないので、ダウンサンプリングした周波数帯は復元する必要も無く、元の音声の再生能力が損なわれることも無い。
【発明を実施するための最良の形態】
【００２０】
以下、本発明の音声モニタシステムを実施するための最良の形態について説明する。説明する際には本明細書と同時に提出する図面を参照する。
【００２１】
図１は、本形態の音声モニタシステムの構成を図示したものである。２つのネットワークＰＬＭＮ１、２が固定網を介して接続しており、ＰＬＭＮ１は端末１、ＢＳＳ(Base Station System)３、ＭＧＷ(Media Gateway)４、ＭＧＷ４等の中継ノードにて複製されたＴＦＯ信号を分解し、圧縮音声データを取り出すＴＦＯ分解装置５、圧縮音声データから音声傍受を行う音声モニタ装置６を有して構成されており、対向網であるＰＬＭＮ２は端末２、ＭＧＷ７、ＲＮＳ(Radio Network System)８を有して構成されている。また、ＰＬＭＮ１には、端末１及び端末２が通話をするために張られるＴＦＯのパス１（実線）と、ＭＧＷ４その他の中継ノードで音声モニタを行うためにＴＦＯ信号をミラーリングしてＴＦＯ分解装置５へと送出するパス２（点線）と、ＴＦＯ分解装置５にて圧縮音声データ（Ａ）へと再変換されて音声モニタ装置６へ送出するパス３（一点鎖線）が張られている。ＢＳＳ３はコーデック変換装置３１を有し、コーデック変換装置３１にて圧縮音声データ（Ａ）をＴＦＯ信号に変換する。ＭＧＷ４はスイッチ４１を有し、スイッチ４１にてＴＦＯ信号の転送先を決定する。
【００２２】
本形態の音声モニタシステムは以下のように動作して、ＴＦＯを利用するシステムの任意の中継ノードにて音声品質確認を行う。なお、図２は、本形態におけるＴＦＯの仕組みについて図示したものである。まず、端末１からの音声データは、ペイロードのみを考慮すると、図２に示すように、圧縮音声データ（Ａ）とＴＦＯ制御データが多重した信号になる（実際には、この他に様々なヘッダが付加される）。この信号はＢＳＳ３へと転送され、ＰＣＭ変換が行われ、通常のＰＣＭデータへと変換される。さらに、タンデムオペレーションを避けるためにＢＳＳ３にてＰＣＭデータの情報の価値が最も低い部分であるＬＳＢより圧縮音声データＡの信号を書き込む。これによって、ＴＦＯ信号が生成される。ＢＳＳ３で生成されたＴＦＯ信号は他網（ＰＬＭＮ２）への接続口である中継ノード、ＭＧＷ４へと転送される。
【００２３】
ＭＧＷ４では、対向網の端末２へのパス（パス１方向）へと入力された信号と、音声モニタ装置６への信号（パス２方向）へと入力された信号とに分配される。分配された信号はＭＧＷ４内では（図６のような）コーデック変換装置の有無にかかわらず、そのままの形で次の中継ノードへと送出される(codec bypass)。
【００２４】
分配された信号のうち、まず端末２への方向のパス１の説明をする。ＭＧＷ４より固定網を通じて対向網ＰＬＭＮ２へと送付された信号は対向網のゲートウェイ装置であるＭＧＷ７へと転送される。このＭＧＷ７はＴＦＯを扱うことが可能（使用不可ならばＴＦＯ通信は確立できない）なので、ＭＧＷ７のコーデック変換装置７１でＴＦＯ信号より圧縮音声データ（Ａ）の部分を取り出し、ＲＮＳ８を経由して端末２へと転送される。このようにしてタンデムオペレーションを回避して端末１および端末２の間で通話を確立する。また、固定網内部の中継ノードにて音声品質を確認したい場合にはＭＧＷ４と同様にミラーリングを行い、ＴＦＯ分解装置５へと送信する。このときのパスはパス２のものと同等で（点線）、以下、ＭＧＷ４より転送されるパス２とまとめて説明を行う。
【００２５】
音声モニタ装置６へのパス２はＴＦＯ分解装置５へと転送される。ＴＦＯ分解装置５を音声モニタ装置６の前段に設けることにより、任意の中継ノードよりＴＦＯ信号を取り出し、ＴＦＯ信号を圧縮音声データ（Ａ）のセルへと変換し、音声モニタ装置６へと転送し、モニタリングを行うことが可能となる。また、これによりワイドバンドの圧縮音声データがＴＦＯを利用して伝送されるシステムにおいても、ＴＦＯより取り出した圧縮音声データ（Ａ）をＰＣＭ（６４Kbps）へダウンサンプリングせずに適当なインタフェースを利用して任意の音声モニタ装置６へと転送することが可能になる。
【００２６】
ＴＦＯ分解装置５は、ＴＦＯフレームの識別、ＴＦＯメッセージのやり取りの監視、ＴＦＯセルよりオリジナルコーデックの取り出し、適切なインタフェースでの出力といった４機能を具備している。仕様用途が音声モニタのみなので、エンコードをする必要はなく、ＴＤＭ回線と同期を取り、音声モニタ対象呼のＴＦＯ信号よりＬＳＢ上に書き込まれた圧縮音声データ（Ａ）の信号を音声モニタ装置６へと転送する役割のみを果たせばよい。このＴＦＯ分解装置５を任意の中継ノードに接続し、たとえその中継ノードがＭＧＷ４以外で固定網内部に存在するようなノードであり、ＴＦＯ機能を具備していないものでも、データの複製を行うだけで対象呼の音声モニタが可能となる音声モニタシステムを構築できる。
【００２７】
図３は、ＴＦＯ分解装置５の内部構成を図示したものである。ＴＦＯ分解部５１、制御部５２、パケット組立て部５３を有して構成されている。ＴＦＯ分解部５１はＴＤＭ信号をバイパスし、または、ＴＦＯ信号を分解するように機能する。制御部５２はＴＦＯ信号の監視を行う機能を有する。パケット組立て部５３は分解されたＴＦＯ信号に対して所定の形式に従ってＲＴＰ付加、ＩＰパケットの組立てを行う機能を主に有する。ＴＦＯを行っていない信号が入力した場合は、制御部５２でバイパスするように指示し、ＴＦＯ分解部５１によりＴＤＭデータを抽出し、パケット組立て部５３がＴＤＭデータを繋げた（１）のようなＩＰパケットを組み立て、音声モニタ装置６に転送する。ＴＦＯを行っている信号が入力した場合は、制御部５２でどのビットを抽出するか指示し、ＴＦＯ分解部５１により圧縮音声データ（Ａ）を抽出し、パケット組立て部５３が圧縮音声データ（Ａ）を繋げた（２）のようなＩＰパケットを組み立て、音声モニタ装置６に転送する。
【００２８】
なお、ＴＦＯ分解装置５は、ＴＦＯ分解部５１、制御部５２、パケット組立て部５３に対し、いわゆる中央処理制御を行うＣＰＵ(Central Processing Unit)と、当該ＣＰＵが中央処理制御を行うときに読み出すプログラムを記録した記録媒体としてのＲＯＭ(Read Only Memory)も有している。
【００２９】
図４は、ＴＦＯ分解装置５にて行われる動作処理をフローチャートとして図示したものである。図４を参照して、ＴＦＯ分解装置５の動作処理について説明する。
【００３０】
まず、ＴＦＯ分解装置５へ、中継ノード、ＭＧＷ４で複製したパケットであるＴＦＯ信号が入力される（Ｓ０１）。入力された信号はＴＦＯ分解部５１及び制御部５２へと送信される。制御部５２ではＴＦＯフレームの同期信号の存在を確認する（Ｓ０２）。確認した場合は（Ｓ０２でＹＥＳ）、同期信号よりＴＦＯフレームの形式を判別し、各フレーム種別に対応したコーデック種別をＴＦＯフレームのＴＦＯ制御データより読み込む（Ｓ１３）。１６Kbps、３２Kbpsの場合にはＴＦＯフレームのＣ１〜Ｃ４、Ｃ２３〜Ｃ２５の制御ビットよりコーデック種別を抽出し（Ｓ１４）、８Kbpsの場合にはＴＦＯフレームのＣ１〜Ｃ３の制御ビットよりコーデック種別を抽出する（Ｓ１５）。これにより、制御部５２は元の圧縮音声データはどのようにＴＦＯフレーム内に組み込まれたか判別できるのでこの情報をＴＦＯ分解部５１に送信し、ＴＦＯ分解部５１はこれに従ってＴＦＯフレームを分解して圧縮音声データを抽出する（Ｓ１６）。
【００３１】
ＴＦＯフレームが確認できない場合（Ｓ０２でＮＯ）、制御部５２はＴＦＯ確立前に流れるネゴシエーション用のＴＦＯメッセージの存在を確認する（Ｓ０３）。ＴＦＯメッセージの中でＴＦＯ＿ＳＹＬまたはＴＦＯ＿ＤＵＰを読み取ったときは（Ｓ０４）、ＴＦＯを中断・再開の際に流れる信号なので再度、ＴＦＯフレームが流れているか確認する必要がある（Ｓ０２）。ＴＦＯが有効化される直前に流れるＴＦＯフレーム種別を定義するＴＦＯ＿ＴＲＡＮＳを読み取ったとき（Ｓ０４）、以前にＴＦＯ＿ＡＣＫ、ＴＦＯ＿ＡＣＫ＿Ｌを受け取っていた場合には（Ｓ０５でＹＥＳ）、圧縮音声データの種別も判別可能なのでＴＦＯ分解部５１にそれらの情報を送信し、ＴＦＯ分解部５１でＴＦＯフレームを分解して圧縮音声データを抽出する（Ｓ１０）。
【００３２】
以前にＴＦＯ＿ＡＣＫ、ＴＦＯ＿ＡＣＫ＿Ｌを受け取っておらず（Ｓ０５でＮＯ）、圧縮音声データの種別が判別できないとき、ＴＦＯ＿ＴＲＡＮＳよりＴＦＯフレームの種別は判別できているので、ＴＦＯフレームを受信し（Ｓ０６）、各フレームに対応したＴＦＯ制御データより読み込む（Ｓ０７）。１６Kbps、３２Kbpsの場合にはＴＦＯフレームのＣ１〜Ｃ４、Ｃ２３〜Ｃ２５の制御ビットよりコーデック種別を抽出し（Ｓ０８）、８Kbpsの場合にはＴＦＯフレームのＣ１〜Ｃ３の制御ビットよりコーデック種別を抽出する（Ｓ０９）。これにより、制御部５２は元の圧縮音声データはどのようにＴＦＯフレーム内に組み込まれたか判別できるのでこの情報をＴＦＯ分解部５１に送信し、ＴＦＯ分解部５１はこれに従ってＴＦＯフレームを分解して圧縮音声データを抽出する（Ｓ１０）。また、ＴＦＯメッセージの存在を確認できず（Ｓ０３でＮＯ）、上記のいずれも検出できなかった場合にはＴＦＯが実行されていないのでＴＦＯ分解部５２はその信号に手を加えることなく、複製したパケットの送信を継続する（Ｓ１２）。
【００３３】
抽出された圧縮音声データは適切なインタフェースに乗せられ音声モニタ装置６へと転送される。このとき、制御部５２は常に受信する信号を常に監視し、呼の状態・ＴＦＯの状態に変化があるかを監視している（Ｓ１１）。呼の状態に変化があった場合にはＴＦＯが一度解除されるからである。呼切断以外の呼状態の変化、ＴＦＯ状態の解除があれば、改めて複製したパケットの送信を開始する（Ｓ０１）。呼切断があったら処理を終える。このように動作することで、でＴＦＯを行っている通信の音声モニタが任意のタイミングより可能となる。
【００３４】
本形態の音声モニタシステムを実施することにより以下の効果を奏する。即ち、まず、第１の効果として、任意の中継ノードより圧縮音声データでの音声モニタが可能となる点があげられる。ＴＦＯ分解装置５を設けることで音声モニタを行う場合、中継ノードは複製処理のみを行えばよいからである。
【００３５】
第２の効果は、比較的安価な投資でＴＦＯ分解装置を作成できる点である。コーデック変換機能を持たないような中継ノードより圧縮音声データの抽出処理を行おうとすると、中継ノード内にコーデック変換装置を設ける必要があり、高価になってしまう（図６参照）。それに対し、ＴＦＯ分解装置５は前記の４機能を有するものを作成すればよいので比較的安価でどの中継ノードにでも対応できる音声モニタシステムが構築できる。
【００３６】
第３の効果は、音声モニタ装置６へと転送される複製された信号はダウンサンプリング等をされる心配がないので、ワイドバンドのコーデックを利用していた場合でも再生可能な全帯域の信号に利用価値を見出すことが可能になる点である。
【００３７】
第４の効果は、ＴＦＯ分解装置を設けることによりＴＦＯフレームを生成している機器より送出されるＴＦＯメッセージのやり取りを受信していなくても、任意のタイミングからＴＦＯフレームを分解できる点である。
【００３８】
なお、上述した形態は、本発明の音声モニタシステムを実施するための最良のものであるが、かかる実施形式に限定する趣旨ではない。従って、本発明の要旨を変更しない範囲内においてその実施形式を種々変形することが可能である。
【００３９】
例えば、最良の形態では、ＰＤＣ／ＧＳＭ端末を収容するＰＬＭＮ１と３Ｇ端末を収容するＰＬＭＮ２を例として挙げた。しかし、ＴＤＭを一時的に介するネットワークに関しては同様の音声モニタシステムを適応することが可能である。
【００４０】
また、最良の形態では中継ノードとしてＭＧＷを利用したが、他のノードを音声モニタの対象としてもかまわない。
【００４１】
また、最良の形態ではＰＤＣ／ＧＳＭ−ＵＭＴＳ端末間を利用して説明したが、固定網を経由する通信種別においては任意の端末種別を利用しても同等の効果が得られる。その例として、ＴＤＭ回線を介するＰＤＣ／ＧＳＭ−ＰＤＣ／ＧＳＭ呼やＴＤＭ回線を介するＵＭＴＳ−ＵＭＴＳ呼が存在する。
【産業上の利用可能性】
【００４２】
本発明を応用して、任意のＴＦＯを中継する中継ノードより音質劣化を起こさずにデータのミラーリング・抽出が可能となり、中継ノードを変化させることなく音声モニタを行う音声モニタシステムを構築することができる。
【図面の簡単な説明】
【００４３】
【図１】本形態の音声モニタシステムの構成を図示したものである。
【図２】本形態におけるＴＦＯの仕組みについて図示したものである。
【図３】ＴＦＯ分解装置５の内部構成を図示したものである。
【図４】ＴＦＯ分解装置５にて行われる動作処理をフローチャートとして図示したものである。
【図５】従来の音声モニタシステムの構成を図示したものである。
【図６】従来の音声モニタシステムの構成を図示したものである。
【符号の説明】
【００４４】
１、２    端末
３    ＢＳＳ
３１、７１    コーデック変換装置
４、７    ＭＧＷ
４１    スイッチ
５    ＴＦＯ分解装置
５１    制御部
５２    ＴＦＯ分解部
５３    パケット組立て部
６    音声モニタ装置
８    ＲＮＳ
【図１】
2007267269.tif 000003
【図２】
2007267269.tif 000004
【図３】
2007267269.tif 000005
【図４】
2007267269.tif 000006
【図５】
2007267269.tif 000007
【図６】
2007267269.tif 000008